(57)【要約】      （修正有）【課題】表現性に優れ、機能的にデザイン的にも富み、拭き取り行為を行っても、絵柄が汚れたり、摩耗損傷してしまうことがなく、耐久性しかも、加工に手間と時間がかかることがなく、コストも低減できるクリーナークロスを提供する。【解決手段】シート形状のクリーナークロス本体１２を備え、クリーナークロス本体１２の一方の面１２ａが、指などにより操作する操作面１４を構成し、クリーナークロス本体１２の他方の面が、拭き取り対象物に対して、拭き取りを行う拭き取り面を構成し、操作面１４には、所定の範囲に所望の形状に印刷された印刷部１８が形成され、操作面１４には、少なくとも印刷部１８を含む表面に、軟質材料から構成される滑り止め突設部２０が形成されていることを特徴とする。【選択図】図１
0003197776.tif 000002
【実用新案登録請求の範囲】
【請求項１】
シート形状のクリーナークロス本体を備え、
前記クリーナークロス本体の一方の面が、指などにより操作する操作面を構成し、
前記クリーナークロス本体の他方の面が、拭き取り対象物に対して、拭き取りを行う拭き取り面を構成し、
前記操作面には、所定の範囲に所望の形状に印刷された印刷部が形成され、
前記操作面には、少なくとも印刷部を含む表面に、軟質材料から構成される滑り止め突設部が形成されていることを特徴とするクリーナークロス。
【請求項２】
前記滑り止め突設部が、複数のドット状の滑り止め突設部、所定のパターンの模様形状の突設部、または、その両方から構成されていることを特徴とする請求項１に記載のクリーナークロス。
【請求項３】
前記印刷部の表面に保護膜が形成され、前記保護膜の上面に、滑り止め突設部が形成されていることを特徴とする請求項１から２のいずれかに記載のクリーナークロス。
【請求項４】
前記印刷部が多層に形成された印刷部であることを特徴とする請求項１から３のいずれかに記載のクリーナークロス。
【考案の詳細な説明】
【技術分野】
【０００１】
本考案は、例えば、眼鏡、顕微鏡、双眼鏡などのレンズ、パソコンのスクリーン、スマートフォンなどの携帯端末のスクリーン、カメラ、ＴＶ、ＣＤ、ＤＶＤなどその他の機器（以下、単に「拭き取り対象物」と言う）の汚れ落としなどに用いるクリーナークロスに関する。
【背景技術】
【０００２】
従来、いわゆる「眼鏡拭き」と呼ばれるクリーナークロスは、例えば、眼鏡、顕微鏡、双眼鏡などのレンズの汚れ、曇りなどを防止するととともに、精度保持などのために広範に使用されている。
【０００３】
このようなクリーナークロスは、拭き取り効果を高くするために、布地を極細繊維から構成したものが多く採用されている。
【０００４】
また、これらのクリーナークロスは、その表面が滑り易い性質を有するので、使用中に手から滑り落ちることがあり、拭き取り能率を妨げる原因となっている。
【０００５】
このため、特許文献１（特開平８−２２０４９２号公報）では、指などに接触する一方の面（外側面）に、凸状の合成樹脂を接着して、ドット状に合成樹脂滑り止めを設け、これらの合成樹脂滑り止めの色を相違させることによって、絵柄などの宣伝を描いて宣伝に用いるようにした眼鏡拭きが提案されている。
【０００６】
また、この特許文献１の眼鏡拭きでは、指などに接触する一方の面（外側面）に、凸状の繊維糸質材を設け、絵柄などの宣伝を描いて宣伝に用いるとともに、滑り止めを兼ねるようにしている。
【０００７】
さらに、最近では一方の面（指などが接触する操作面）に、滑り止め用の透明または着色した半透明の樹脂を配設し、他方の面（拭き取り面）に絵柄を印刷したクリーナークロスも売り出されている。
【先行技術文献】
【特許文献】
【０００８】
【特許文献１】特開平８−２２０４９２号公報
【考案の概要】
【考案が解決しようとする課題】
【０００９】
しかしながら、特許文献１に記載のクリーナークロスでは、ドット状に合成樹脂滑り止めを設けて、絵柄などを表現しなければならず、表現性に乏しく、また、ドット加工に手間と時間がかかり、コストも高くつくことになる。
【００１０】
また、特許文献１に記載のクリーナークロスでは、繊維糸質材を設け、宣伝をえがき、滑り止めを兼ねてはいるが、繊維糸質材を用いるので、表現性に乏しい。
【００１１】
さらに、繊維糸質材で絵柄などの宣伝を描くには、特殊な縫製技術が必要で、製造装置も複雑な縫製装置が必要で、また、加工に手間と時間がかかり、コストも高くつくことになる。
【００１２】
また、一方の面（指などが接触する操作面）に、滑り止め用の透明または着色した半透明の樹脂を配設し、他方の面（拭き取り面）に絵柄を印刷したクリーナークロスでは、指などの接触面には滑り止めが施され、他方の面（拭き取り面）に絵柄が印刷されているので、機能的にもデザイン的にも要求を充足するものである。
【００１３】
しかしながら、絵柄のある方の面（拭き取り面）で眼鏡などの拭き取り対象物を拭かなければならないため、拭き取り行為を行うと絵柄が汚れたり、摩耗損傷してしまうことがある。
【００１４】
このため、これを嫌って、本来のクリーナークロスによる眼鏡などの拭き取り対象物に対して、拭き取り行為を躊躇してしまうという矛盾を生じさせる結果となっている。
【００１５】
本考案は、このような現状に鑑み、表現性に優れ、機能的にデザイン的にも富み、拭き取り行為を行っても、絵柄が汚れたり、摩耗損傷してしまうことがなく、耐久性しかも、加工に手間と時間がかかることがなく、コストも低減できるクリーナークロスを提供することを目的とする。
【課題を解決するための手段】
【００１６】
本考案は、前述したような従来技術における課題及び目的を達成するために考案されたものであって、本考案のクリーナークロスは、
シート形状のクリーナークロス本体を備え、
前記クリーナークロス本体の一方の面が、指などにより操作する操作面を構成し、
前記クリーナークロス本体の他方の面が、拭き取り対象物に対して、拭き取りを行う拭き取り面を構成し、
前記操作面には、所定の範囲に所望の形状に印刷された印刷部が形成され、
前記操作面には、少なくとも印刷部を含む表面に、軟質材料から構成される滑り止め突設部が形成されていることを特徴とするクリーナークロス。
【００１７】
このように構成することによって、少なくとも印刷部を含む表面に、軟質材料から構成される滑り止め突設部が形成されているので、拭き取り対象物に対して、拭き取りを行う際に、滑り止め突設部が形成されている面を認識することができる。
【００１８】
その結果、拭き取り対象物に、誤って印刷部が形成された面を用いて、拭き取りを行なうことがなくなる。従って、印刷部が摩耗損傷することがなく、印刷部を用いて、例えば、宣伝などの情報を、的確にかつ永続的に伝達できるとともに、拭き取り面を用いて拭き取り対象物に対して確実に拭き取りを行うことができる。
【００１９】
さらに、操作面に、所定の範囲に所望の形状に印刷された印刷部を形成して、少なくとも印刷部を含む表面に、軟質材料から構成される滑り止め突設部を形成するだけで良いので、加工に手間と時間がかかることがなく、コストも低減できる。
【００２０】
また、本考案のクリーナークロスは、前記滑り止め突設部が、複数のドット状の滑り止め突設部、所定のパターンの模様形状の突設部、または、その両方から構成されていることを特徴とする。
【００２１】
このように構成することによって、滑り止め突設部が、複数のドット状の滑り止め突設部が形成されているので、複数のドット状の滑り止め突設部によって、滑り止め効果が向上するとともに、複数のドット状の滑り止め突設部によって、操作者の視覚、触感に訴えて認識され、誤って印刷部が形成された面を用いて、拭き取りを行なうことがなくなる。
【００２２】
また、複数のドット状の滑り止め突設部によって、所定のパターンの模様形状を構成すれば、所定のパターンの模様形状からなる絵柄を活かして記念品や宣伝の手段としても十分に適用可能なものとなる。
【００２３】
さらに、滑り止め突設部が、所定のパターンの模様形状の突設部から構成すれば、所定のパターンの模様形状の滑り止め突設部自体で、操作者の視覚、触感に訴えて認識され、誤って印刷部が形成された面を用いて、拭き取りを行なうことがなくなる。
【００２４】
また、滑り止め突設部が、所定のパターンの模様形状の突設部から構成されているので、所定のパターンの模様形状によって、表現性に優れ、機能的にも、デザイン的にも富む。
【００２５】
なお、この場合、複数のドット状の滑り止め突設部と、所定のパターンの模様形状の突設部とを組み合わせることによって、前述したような認識効果、デザインの多様性などに皿に優れる。
【００２６】
また、本考案のクリーナークロスは、前記印刷部の表面に保護膜が形成され、前記保護膜の上面に、滑り止め突設部が形成されていることを特徴とする。
【００２７】
このように構成することによって、印刷部の表面に保護膜が形成されているので、この保護膜による保護作用によって、印刷部が摩耗損傷することがなく、印刷部を用いて、例えば、宣伝などの情報を、的確にかつ永続的に伝達できる。
【００２８】
また、本考案のクリーナークロスは、前記印刷部が多層に形成された印刷部であることを特徴とする。
【００２９】
このように、印刷部が多層に形成された印刷部であれば、立体的な模様などすることができ、デザインの多様性が拡がることになる。
【００３０】
また、本考案のクリーナークロスは、複数枚のクリーナークロスが、各クリーナークロスに分離可能にロール状に巻かれた状態、または、複数枚のクリーナークロスが、各クリーナークロスに分離可能に積層された状態であることを特徴とする。
【００３１】
このように構成することによって、拭き取り対象物の拭き取り操作によって、拭き取り能力が低下した拭き取り面を有する古いクリーナークロスの代わりに、新しいクリーナークロスを用いることができ、常に優れた拭き取り能力を維持でき、極めて便利である。
【考案の効果】
【００３２】
本考案によれば、少なくとも印刷部を含む表面に、軟質材料から構成される滑り止め突設部が形成されているので、拭き取り対象物に対して、拭き取りを行う際に、滑り止め突設部が形成されている面を認識することができる。
【００３３】
その結果、拭き取り対象物に、誤って印刷部が形成された面を用いて、拭き取りを行なうことがなくなる。従って、印刷部が摩耗損傷することがなく、印刷部を用いて、例えば、宣伝などの情報を、的確にかつ永続的に伝達できるとともに、拭き取り面を用いて拭き取り対象物に対して確実に拭き取りを行うことができる。
【００３４】
さらに、操作面に、所定の範囲に所望の形状に印刷された印刷部を形成して、少なくとも印刷部を含む表面に、軟質材料から構成される滑り止め突設部を形成するだけで良いので、加工に手間と時間がかかることがなく、コストも低減できる。
【図面の簡単な説明】
【００３５】
【図１】図１は、本考案のクリーナークロスの滑り止め突設部が形成されている操作面側の上面図である。
【図２】図２は、図１のクリーナークロスのＡ−Ａ線での断面図である。
【図３】図３は、拭き取り対象物として、眼鏡のレンズを拭き取っている状態を示す斜視図である。
【図４】図４は、本考案のクリーナークロスの別の実施例を示す操作面側の上面図である。
【図５】図５は、本考案のクリーナークロスの別の実施例を示す操作面側の上面図である。
【図６】図６は、本考案のクリーナークロスの別の実施例を示す操作面側の上面図である。
【図７】図７は、本考案のクリーナークロスの別の実施例を示す図３と同様な断面図である。
【図８】図８は、本考案のクリーナークロスの別の実施例を示す図３と同様な断面図である。
【図９】図９は、本考案のクリーナークロスの別の実施例を示す斜視図である。
【図１０】図１０は、本考案のクリーナークロスの別の実施例を示す斜視図である。
【考案を実施するための形態】
【００３６】
以下、本考案の実施の形態（実施例）を図面に基づいてより詳細に説明する。
【００３７】
図１は、本考案のクリーナークロスの滑り止め突設部が形成されている操作面側の上面図、図２は、図１のクリーナークロスのＡ−Ａ線での断面図、図３は、拭き取り対象物として、眼鏡のレンズを拭き取っている状態を示す斜視図である。
【００３８】
図１〜図３において、符号１０は、全体で本考案のクリーナークロスを示している。
【００３９】
図１〜図３に示したように、本考案のクリーナークロス１０は、シート形状のクリーナークロス本体１２を備えている。この場合、クリーナークロス本体１２としては、その材質、厚さ、大きさ、形状などは、特に限定されるものではなく、その拭き取り対象に対する目的とする拭き取り作用を考慮して、その材質、厚さ、大きさ、形状などを適宜選択すれば良い。
【００４０】
例えば、拭き取り対象として、眼鏡などのレンズに付着した汚れの拭き取りを目的とする場合には、ポリエステルとナイロンの極細糸の混紡からなる極細繊維からなる布地、不織布などから構成すれば良い。また、この実施例では、平面形状が矩形のクリーナークロス本体１２としている。
【００４１】
また、布地、不織布以外にも、拭き取り性能を備えたペーパーなどを使用することが可能である。また、図示しないが、クリーナークロス本体１２は、縁取りを有する形状とすることも可能である。
【００４２】
そして、図１〜図３に示したように、クリーナークロス本体１２の一方の面１２ａが、指などにより操作する操作面１４を構成している。
【００４３】
一方、クリーナークロス本体１２の他方の面１２ｂが、拭き取り対象物に対して、拭き取りを行う拭き取り面１６を構成している。
【００４４】
この場合、拭き取り面１６には、必要に応じて、曇り止め防止効果を有する曇り止め防止剤を塗布したり、静電気防止効果を有する静電気防止剤を塗布したり、これらの効果を有する塗布剤を塗布しても良い。
【００４５】
また、図１に示したように、クリーナークロス本体１２の操作面１４には、所定の範囲に所望の形状に印刷された印刷部１８が形成されている。
【００４６】
この場合、印刷部１８が、クリーナークロス本体１２の操作面１４において占める範囲、形状は、特に限定されるものではなく、印刷部１８の目的とするデザイン、宣伝効果などを考慮して決定すれば良い。例えば、図１に示した実施例では、イルカの絵柄の印刷部１８が形成されている。
【００４７】
また、この印刷部１８の材質、形成方法、厚さなどは、特に限定されるものではなく、例えば、熱転写、金属蒸着、ラミネートなどの公知の方法を採用することができる。
【００４８】
さらに、図１〜図３に示したように、クリーナークロス本体１２の操作面１４には、少なくとも印刷部１８を含む表面に、軟質材料から構成される滑り止め突設部２０が形成されている。
【００４９】
この滑り止め突設部２０の材質、形成方法、形状などは、特に限定されるものではなく、クリーナークロス本体１２の操作面１４の印刷部１８に応じて適宜選択することができる。
【００５０】
例えば、滑り止め突設部２０を構成する軟質材料として、シリコン樹脂、ＰＥＴ、ＰＭＭＡ、ＰＣ、ＰＴＦＥ、ＰＰ、ＰＥなどの軟質樹脂材、天然ゴム、合成ゴム、 ウレタンのゴム・エラストマ材料などを採用することができる。
【００５１】
このように構成することによって、少なくとも印刷部１８を含む表面に、軟質材料から構成される滑り止め突設部２０が形成されているので、拭き取り対象物に対して、拭き取りを行う際に、滑り止め突設部２０が形成されている面（操作面１４）を認識することができる。
【００５２】
その結果、拭き取り対象物に、誤って印刷部１８が形成された面（操作面１４）を用いて、拭き取りを行なうことがなくなる。従って、印刷部１８が摩耗損傷することがなく、印刷部１８を用いて、例えば、宣伝などの情報を、的確にかつ永続的に伝達できるとともに、拭き取り面１６を用いて拭き取り対象物に対して確実に拭き取りを行うことができる。
【００５３】
さらに、操作面１４に、所定の範囲に所望の形状に印刷された印刷部１８を形成して、少なくとも印刷部１８を含む表面に、軟質材料から構成される滑り止め突設部２０を形成するだけで良いので、加工に手間と時間がかかることがなく、コストも低減できる。
【００５４】
この場合、滑り止め突設部２０としては、図１〜図３に示したように、複数のドット状の滑り止め突設部２２から構成することができる。このように、滑り止め突設部２０が、複数のドット状の滑り止め突設部２２が形成されているので、複数のドット状の滑り止め突設部２２によって、滑り止め効果が向上するとともに、複数のドット状の滑り止め突設部２２によって、操作者の視覚、触感に訴えて認識され、誤って印刷部１８が形成された面（操作面１４）を用いて、拭き取りを行なうことがなくなる。
【００５５】
この場合、滑り止め突設部２２の材質、形状、寸法、配置位置、配置密度としては、特に限定されるものではなく、クリーナークロス本体１２の材質、大きさ、形状、さらに、印刷部１８のデザイン、パターンなどに応じて適宜選択すれば良い。
【００５６】
例えば、滑り止め突設部２２の寸法としては、直径が１〜３ｍｍ程度の円筒状の滑り止め突設部２２から構成すれば、前述したように、操作者の視覚、触感に訴えて認識され、誤って印刷部１８が形成された面（操作面１４）を用いて、拭き取りを行なうことがなくなる。
【００５７】
この場合、これらの滑り止め突設部２２を形成する方法としては、以下のようにすれば良い。
【００５８】
すなわち、ドット状、または、パターンに対応するように、透過穴を配置したスクリーンを準備し、軟質樹脂材をこのスクリーンの透過穴を透過させる。これにより、クリーナークロス本体１２の操作面１４の少なくとも印刷部１８を含む表面に、軟質樹脂材を円筒状の突起形状に付着させる。そして、この状態で、これを適当な温度で加熱することにより、円筒状の滑り止め突設部２２を定着させればよい。
【００５９】
また、この場合、滑り止め突設部２２の素材である、例えば、シリコン樹脂の色彩は、下地である印刷部１８の色彩を損なわないようにするために、透明を採用することが望ましい。しかしながら、デザインによっては、半透明、または、不透明としても良い。
【００６０】
ドット状の滑り止め突設部２０の大きさや配置は、滑り止めとしての機能を損なわない範囲で、小さくかつ粗くすると、軽量で、下地である印刷部１８の色彩を忠実に表現できる利点がある。
【００６１】
また、複数のドット状の滑り止め突設部２２によって、所定のパターンの模様形状を構成すれば、所定のパターンの模様形状からなる絵柄を活かして記念品や宣伝の手段としても十分に適用可能なものとなる。
【００６２】
すなわち、例えば、図１に示したようなイルカの絵柄の印刷部１８と重ね合わせて、図４に示したように、ボールのパターンに形成したドット状の滑り止め突設部２４とすることによって、立体的で、デザインの多様化が図れることになる。
【００６３】
さらに、図５に示したように、滑り止め突設部２０が、所定のパターンの模様形状の突設部から構成しても良い。これにより、所定のパターンの模様形状の滑り止め突設部２０自体で、操作者の視覚、触感に訴えて認識され、誤って印刷部が形成された面を用いて、拭き取りを行なうことがなくなる。
【００６４】
すなわち、例えば、図１に示したようなイルカの絵柄の印刷部１８と重ね合わせて、図５に示したように、ペンギンのパターンに形成した滑り止め突設部２６とすることによって、立体的で、デザインの多様化が図れることになる。
【００６５】
また、滑り止め突設部２６が、所定のパターンの模様形状の突設部から構成されているので、所定のパターンの模様形状によって、表現性に優れ、機能的にデザイン的にも富む。
【００６６】
さらに、図６に示したように、滑り止め突設部２０が、複数のドット状の滑り止め突設部２８と、所定のパターンの模様形状の突設部３０とを組み合わせても良い。これにより、前述したような認識効果、デザインの多様性などに皿に優れる。
【００６７】
すなわち、例えば、図１に示したようなイルカの絵柄の印刷部１８と重ね合わせて、ボールのパターンに形成したドット状の滑り止め突設部２８と、ペンギンのパターンに形成した滑り止め突設部３０としても良い。
【００６８】
さらに、図７に示したように、印刷部１８の表面に保護膜３２を形成して、この保護膜３２の上面に、滑り止め突設部３４を形成するようにしても良い。
【００６９】
このように構成することによって、印刷部１８の表面に保護膜３２が形成されているので、この保護膜３２による保護作用によって、印刷部１８が摩耗損傷することがなく、印刷部１８を用いて、例えば、宣伝などの情報を、的確にかつ永続的に伝達できる。
【００７０】
この場合、保護膜３２を形成する材質、形成方法は、特に限定されるものではなく、例えば、シリコン樹脂、ＰＥＴ、ＰＭＭＡ、ＰＣ、ＰＴＦＥ、ＰＰ、ＰＥなどの軟質樹脂材、天然ゴム、合成ゴム、 ウレタンのゴム・エラストマ材料などを採用することができる。
【００７１】
この場合、下地である印刷部１８の色彩を損なわないようにするために、透明を採用することが望ましい。しかしながら、デザインによっては、半透明、または、不透明、着色による配色されたものとしても良い。
【００７２】
そして、この印刷部１８の保護膜３２の上面に、前述したように、滑り止め突設部２０を形成するようにすればよい。
【００７３】
また、図８に示したように、印刷部１８が、多層に形成された印刷部３６であっても良い。
【００７４】
すなわち、図８に示したように、例えば、印刷部１８が、２層に形成された印刷部３６ａ、３６ｂから構成するようにしても良い。
【００７５】
このように、印刷部１８が多層に形成された印刷部３６であれば、立体的な模様などすることができ、デザインの多様性が拡がることになる。
【００７６】
また、図９に示したように、複数枚のクリーナークロス１０が、例えば、ミシン目３８により、各クリーナークロス１０に分離可能にロール状に巻かれた状態としても良い。そして、このロール状に巻かれた状態のクリーナークロス１０を、例えば、箱体４０に収納して、自由に取り出すことができるように構成しても良い。
【００７７】
さらに、図１０に示したように、複数枚のクリーナークロス１０が、各クリーナークロス１０に分離可能に積層された状態として、ティッシュペーパーのように、例えば、箱体４２に収納して、自由に取り出すことができるように構成しても良い。
【００７８】
このように構成することによって、拭き取り対象物の拭き取り操作によって、拭き取り能力が低下した拭き取り面を有する古いクリーナークロス１０の代わりに、新しいクリーナークロス１０を用いることができ、常に優れた拭き取り能力を維持でき、極めて便利である。
【００７９】
以上説明したように構成される本考案のクリーナークロス１０を用いて、拭き取り対象物の拭き取り操作を行うには、例えば、図３に示したように行えば良い。
【００８０】
すなわち、図３は、拭き取り対象物として、眼鏡４４のレンズ４６を拭き取っている状態を示す斜視図である。
【００８１】
クリーナークロス本体１２の一方の面１２ａからなる操作面１４、すなわち、絵柄などが施された印刷部１８が形成された操作面１４を指などで把持する。そして、クリーナークロス本体１２の他方の面１２ｂ、すなわち、拭き取り面１６を用いて、拭き取り対象物である眼鏡４４のレンズ４６に付着した汚れなどの拭き取りを行えば良い。
【００８２】
この際には、少なくとも印刷部１８を含む表面に、軟質材料から構成される滑り止め突設部２０が形成されているので、拭き取り対象物である眼鏡４４のレンズ４６に対して、拭き取りを行う際に、滑り止め突設部２０が形成されている面（操作面１４）を認識することができる。
【００８３】
その結果、拭き取り対象物に、誤って印刷部１８が形成された面（操作面１４）を用いて、拭き取りを行なうことがなくなる。従って、印刷部１８が摩耗損傷することがなく、印刷部１８を用いて、例えば、宣伝などの情報を、的確にかつ永続的に伝達できるとともに、拭き取り面１６を用いて拭き取り対象物である眼鏡４４のレンズ４６に対して確実に拭き取りを行うことができる。
【００８４】
以上、本考案の好ましい実施の態様を説明してきたが、本考案はこれに限定されることはなく、例えば、上記実施例では、拭き取り対象物として、眼鏡４４のレンズ４６に用いたが、例えば、顕微鏡、双眼鏡などのレンズ、パソコンのスクリーン、スマートフォンなどの携帯端末のスクリーン、カメラ、ＴＶ、ＣＤ、ＤＶＤなどその他の機器の拭き取りにも利用可能である。
【００８５】
また、本考案のクリーナークロス１０を、絵柄などが施された印刷部１８が形成された操作面１４を下側にして、例えば、机の上に載置することによって、マウスパッドとして使用したり、コップ、ガラス瓶、花瓶などの壊れやすい物の滑り止め用として載置するように使用するとともに、これらのコップ、ガラス瓶、花瓶などを拭き取ることもできる。
【００８６】
さらには、本考案のクリーナークロス１０を、滑り止め突設部２０が形成されている面（操作面１４）を用いて、固く締まっているビンの蓋などを包み込んで開けやすくするための手段としても使用することができる。
【００８７】
また、このように、眼鏡を使わない人にも有用なものであるので、土産品や記念品、催し物の参加者に手渡す粗品などとしても使用することもできるなど本考案の目的を逸脱しない範囲で種々の変更が可能である。
【産業上の利用可能性】
【００８８】
本考案は、例えば、眼鏡、顕微鏡、双眼鏡などのレンズ、パソコンのスクリーン、スマートフォンなどの携帯端末のスクリーン、カメラ、ＴＶ、ＣＤ、ＤＶＤなどその他の機器の汚れ落としなどに用いるクリーナークロスに適用することができる。
【符号の説明】
【００８９】
１０    クリーナークロス
１２    クリーナークロス本体
１２ａ    一方の面
１２ｂ    他方の面
１４    操作面
１６    拭き取り面
１８    印刷部
２０    滑り止め突設部
２２    滑り止め突設部
２４    滑り止め突設部
２６    滑り止め突設部
２８    滑り止め突設部
３０    滑り止め突設部
３２    保護膜
３４    滑り止め突設部
３６    印刷部
３６ａ、３６ｂ    印刷部
３８    ミシン目
３８    箱体
４２    箱体
４４    眼鏡
４６    レンズ
【図１】
0003197776.tif 000003
【図２】
0003197776.tif 000004
【図３】
0003197776.tif 000005
【図４】
0003197776.tif 000006
【図５】
0003197776.tif 000007
【図６】
0003197776.tif 000008
【図７】
0003197776.tif 000009
【図８】
0003197776.tif 000010
【図９】
0003197776.tif 000011
【図１０】
0003197776.tif 000012